(57)【特許請求の範囲】
【請求項１】
床頭台本体に、芯出しテーブルと、この芯出しテーブルの真下に位置する引出しとを設けたものであって、前記引出しに、該引出しを押込み位置で床頭台本体にロックするための錠機構を設けるとともに、前記芯出しテーブルに、該芯出しテーブルを所定の引き出し位置で係止するための抜止機構を設けておき、前記引出しを押込み位置から前方に引き出した場合にだけ、前記抜止機構の係止機能を解除して芯出しテーブルを床頭台本体から抜き取ることができるように構成したことを特徴とする床頭台。
【発明の詳細な説明】
【０００１】
【発明の属する技術分野】
本発明は、ベッド等の傍らに置いて利用される床頭台に関するものである。
【０００２】
【従来の技術】
病院や老人ホーム等では、ベッドから手が届く範囲に必要な身の回り品やテレビ等を置いて闘病生活や療養生活を送ることが多い。床頭台はこのような場合に利用されるもので、テレビ等を載置する天板や小物類を入れる引出し等が備え付けられ、利用者の不自由なきように配慮されている。
【０００３】
【発明が解決しようとする課題】
ところが、かかる従来の床頭台には、以下に述べるような不具合がある。
【０００４】
従来の床頭台には、床頭台本体に、芯出しテーブルと、この芯出しテーブルの真下に位置する引出しとを備え、芯出しテーブルはその上で食事をとることが多く汚れ易いために抜き取って清掃できるようにされており、引出しには貴重品等を収納することが多いために押込み位置で床頭台本体にロックするための錠機構が設けられていることが多い。ところが、従来のものは引出しが施錠されていても芯出しテーブルを抜き取ることによって生じる開口から手を差し込むことで引出しの内部に手が届くため、防犯の観点からすれば不十分なものである。
【０００５】
本発明は、上記の不具合を解消することを目的としている。
【０００６】
【課題を解決するための手段】
上記の不具合を解決するために、本発明の床頭台は、床頭台本体に設けられる引出しに錠機構を設けるとともに、その真上に配置される芯出しテーブルに所定の引き出し位置で係止する抜止機構を設け、引出しを押込み位置から前方に引き出した場合にだけ係止機能を解除して芯出しテーブルを床頭台本体から抜き取り得るように構成することとしている。
【０００７】
【発明の実施の形態】
本発明の床頭台は、床頭台本体に、芯出しテーブルと、この芯出しテーブルの真下に位置する引出しとを設けたものであって、前記引出しに、該引出しを押込み位置で床頭台本体にロックするための錠機構を設けるとともに、前記芯出しテーブルに、該芯出しテーブルを所定の引き出し位置で係止するための抜止機構を設けておき、前記引出しを押込み位置から前方に引き出した場合にだけ、前記抜止機構の係止機能を解除して芯出しテーブルを床頭台本体から抜き取ることができるように構成したことを特徴とする。
【０００８】
このような構成のものであれば、引出しをロックすることができるため病院等での貴重品の保管に重宝がられるだけでなく、芯出しテーブルを抜き取られることによって、引出しに錠をかけたことが無為に帰すのを防止することができる。しかも、このような安全対策を講じているにも拘らず、ロックを解除して引出しを引き出しさえすれば、芯出しテーブルを取り外すことができるため、芯出しテーブルや引出しの清掃に不具合が生じることもない。
【０００９】
【実施例】
以下、本発明の一実施例を、図面を参照して説明する。
【００１０】
この実施例の床頭台は、図１〜図３に示すように、床頭台本体１の前面に引出し２、芯出しテーブル３及び扉４を配設し、上面に天板５を載置し、側面にタオルハンガ６を取り付けるとともに、前記天板５の更に上方に昇降機構７を介して可動板８を昇降可能に支持させてなるものである。
【００１１】
床頭台本体１は、図４及び図５に示すように、板金製の底板１１の上面に、同じく板金製の左右の側板１２及び背板１３を平面視コ字形に連結して立設することにより構成されている。
【００１２】
底板１１は、下面の前部両隅近傍にロック機能付きの偏平キャスタ１１ａと、下面の後部両隅近傍にロック機能無しの偏平キャスタ１１ａａとを取着したもので、床頭台本体１を滑動可能に支持している。このロック機能付きの偏平キャスタ１１ａは、図４、図２４、図２５に示すように、下面が開口した円筒状のケース１１ａ１と、このケース１１ａ１に旋回可能に支持させた車輪１１ａ２および補助車輪１１ａ３と、ケース１１ａ１の上面に突没可能に装着した円柱状のロック操作用釦１１ａ４とを具備してなる。そして、このロック操作用釦１１ａ４を押して図２５に示す没入状態にすると車輪１１ａ２がロックされ、没入状態からもう一度ロック操作用釦１１ａ４を押すと図２４に示すように突出状態となり、車輪１１ａ２のロックが解除される構造を有している。本実施例では、図４に示すように底板１１の下面前部に上面が開口するキャスタ保持用チャンネル材１１Ａを配設し、このチャンネル材１１Ａの両端部に偏平キャスタ１１ａを取着するとともに、底板１１の偏平キャスタ１１ａを取着する位置に貫通孔１１Ｂを設け、この貫通孔１１Ｂからロック操作用釦１１ａ４を底板１１の上面に突没可能に表出させている。偏平キャスタ１１ａの取着位置は、図２４に示すように、ロック解除状態でロック操作用釦１１ａ４が底板１１の上面よりも突出するようにし、図２５に示すようにロック状態でその上面が底板１１の上面と略面一となるように設定している。キャスタ保持用チャンネル材１１Ａは、図２４，２５に示すように例えば二重底構造のもので、下側の底板１１Ｃにはケースが嵌入し得る孔１１Ｄが穿設してあり、上側の底板１１Ｅには、ロック操作用釦１１ａ４が挿入できる孔１１Ｆが穿設してある。しかして、この孔１１Ｄからキャスタ１１ａを嵌入して、ケース１１ａ１上面を上側の底板１１Ｅ下面に当接させキャスタ１１ａを保持する。なお底板１１には単に貫通孔１１Ｂを穿設しておくだけでも構わないが、図２４、２５に示すように、この貫通孔１１Ｂにブッシング１１Ｇを嵌め込んでもよい。このようにしたうえで、このブッシング１１Ｇにロック操作用釦１１ａ４を挿入するようにすれば、ロック操作用釦１１ａ４がブッシング１１Ｇに案内されガタなくスムーズに動くので使い勝手がさらに良くなる。また、図２４、２５で貫通孔１１Ｂの周囲に凹み１１Ｈを設けているのは、ブッシング１１Ｇの上面を底板１１の上面と略面一にするためである。
【００１３】
側板１２は、面板部の前縁に内側後方に屈曲する前折曲部１２ａを有し、上縁に内方へ屈曲する上折曲部１２ｂを有し、内面に内方端を上向係合片１２ｃとする横断面Ｚ形のレール支持部材１２ｄを取着してなるもので、左右の側板１２の前上部間及び前中間部間をそれぞれ横桟１４、１５によって連結するとともに、面板部の内面に引出し２及び芯出しテーブル３をスライド可能に支持するレール部材１６を取着している。レール部材１６は、横断面Ｅ字形をなす樹脂一体成形品で、そのＥ字部分に長手方向に沿って伸びる上レール部１６ａ及び下レール部１６ｂを設定するとともに、上端近傍に上向爪１６ｃを外側方に向けて突設し、前端に前向爪１６ｄを前方に向けて突設し、下端に下向爪１６ｅを外側方に向けて突設し、後端に後述する昇降機構７の構成要素であるフレームガイド７１を一体突設している。そして、このレール部材１６を若干傾けて先ずその上向爪１６ｃを上折曲部１２ｂの内面に係合させ、前向爪１６ｄを前折曲部１２ａに設けたスリット１２ｅに通過させた後、下向爪１６ｅをレール支持部材１２ｄの上向係合片１２ｃに係合させて、所要部位をビス１６ｆによりレール支持部材１２ｄに止着している。必要であればこのレール部材１６の上縁側を上折曲部１２ｂに止着してもよい。この状態において、前向爪１６ｄはスリット１２ｅに対する位相が上下方向にずれて再度の抜出が防止され、レール部材１６の上端１６ｇは側板１２の上折曲部１２ｂの上面と略面一なる位置に配設される。
【００１４】
背板１３は、面板部の上縁に内側下方に屈曲する上折曲部１３ａを有している。
【００１５】
天板５は、図５〜図７に示すように、上面中央に凹み５１を有し、下面に格子状にリブ５２を突設した樹脂素材からなる偏平筐状のもので、この天板５のリブ５２の下端５２ａを前記側板１２及び背板１３の各上折曲部１２ｂ、１３ａ並びに横桟１４の上面にそれぞれ添設して、その肉厚内に設けたビス挿通孔５３に挿通したビス５３ａを横桟１４に設けたビス孔１４ａに締着している。この天板５の中央には後述するターンテーブル９を選択的に取り付けるための厚み方向に貫通するテーブル取付部９０が下端にナット９０ａを付帯させた状態で設けられ、後端隅部近傍には後述する昇降機構７の構成要素であるフレーム７０を挿通するためのボス孔５５が下方に向けて突設されている。この天板５は、床頭台本体１や引出し２、芯出しテーブル３等に対してオーバハングさせてある。
【００１６】
引出し２は、図１、図２、図３、図５及び図８に示すように、引出し本体２１と、鏡板２２とを具備してなる。引出し本体２１は、中央に物品収納用の凹部２１ａを有し、左右の側壁２１ｂの上縁部に水平外側方に突出する突条２１ｃが設けられた樹脂一体成形品で、その突条２１ｃが左右のレール部材１６の下レール部１６ｂにスライド可能に係合保持される。この引出し本体２１の前壁上部２１ｄは前壁下部２１ｅに対して前方に突出しており、その前壁上部２１ｄに前面及び上面に開口する取手用凹陥部２１ｆが形成されている。この凹陥部２１ｆの前縁中央部分には該凹陥部２１ｆの横幅寸法よりも短寸な指掛用の突条２１ｇが設けられており、突条２１ｇが設けられていない前縁左右両端部分は凹陥部２１ｆの奥部に滑らかに連続している。鏡板２２は、引出し本体２１の前壁下部２１ｅに、その前面が前壁上部２１ｄの前面に対して面一となるように取着される木製のもので、木目その他適宜仕様のものが選択される。しかして、この引出し２には、錠機構２３が設けられている。錠機構２３は、図５及び図９に示すように、二重筒構造をなす本体部２３ａの後端に取付板部２３ｂを有したもので、鏡板２２及び引出し本体２１の前壁下部２１ｅに連通して設けられた貫通孔２３ｃに後方から本体部２３ａを差し込んでそのキー差込口２３ｄを前面側に表出させ、且つ取付板部２３ｂを前壁下部２１ｅの背面に当接させて、鏡板２２から挿通した図示しないビスにより取付板部２３ｂを前壁下部２１ｅの背面に引き付けて定着している。この錠機構２３は、キー差込口２３ｄにキーを差し込んでロック／ロック解除操作を行うと、本体部２３ａの後端側より側方に向けてレバー２３ｆが突没し、このレバー２３ｆが側板１２の前折曲部１２ａの内面に設けられている前記とは異なるスリット１２ｆに係脱される。また、この錠機構１２は、別のマスターキーを差し込んで所定の操作をすることにより、本体部２３ａから内筒のみを取り出して交換可能とされている。
【００１７】
芯出しテーブル３は、図１、図２、図３、図５及び図８に示すように、引出し２の前壁上部２１ｄと横桟１４との隙間から床頭台本体１内に挿入されるもので、少なくとも上面が偏平な板状をなす樹脂一体成形品であり、その左右の縁部３１が対応するレール部材１６の上レール部１６ａにスライド可能に係合保持されるとともに、芯出しテーブル３に設けられた抜止機構３２により該芯出しテーブル３を所定の引き出し位置で抜出不能に係止するようにしている。この抜止機構３２は、芯出しテーブル３の後端近傍の左右二箇所に突設され前方斜面が後方斜面よりも高傾斜である山形の弾性突起３２ａと、下面がこの弾性突起３２ａよりも低い位置にある前記横桟１４とから構成される。弾性突起３２ａは、図２１に拡大して示すように、下端３２ｂが前下方に伸びて芯出しテーブル３の下面よりも低い位置にまで垂下している。この芯出しテーブル３を床頭台本体１に向かって押し込むと、弾性突起３２ａを経過的に没入させながら横桟１４の下方を通過する位置にまで芯出しテーブル３が移動した時点で弾性突起３２ａが突出位置に復帰し、再度芯出しテーブル３を引き出してもこの弾性突起３２ａの斜面が横桟１４の後端面に当接してその抜出防止が図られる。この芯出しテーブル３は、下方に配設される引出し２が前方に引き出されている図８の状態で、引出し２の開口から手を差し込んで弾性突起３２ａの下端３２ｂに爪や指を引っ掛けて下方へ押し下げることにより、横桟１４との係合を解除して床頭台本体１から抜き取ることができる。
【００１８】
扉４は、図１〜図３並びに図１０〜図１２に示すように、床頭台本体１の下半部の開口端面に右側縁４ａ又は左側縁４ｂを選択して蝶持機構４０により蝶着される。この扉４は、周縁を折り曲げて背面側に下端面４１、上端面４２及び側端面４３を枠状に突出させた板金製のもので、前面側の上縁に樹脂製の上部扉受け部材４９を前面が面一となるように取着している。蝶持機構４０は、扉４の下端面４１を下側から支持すべく床頭台本体１に突設された左右一対の下ヒンジ部材４５と、扉４の上端面４１を上側から支持すべく床頭台本体１の開口端面から突設された上ヒンジ部材４６と、扉４の右側縁４ａ又は左側縁４ｂを対応する下ヒンジ部材４５に軸着する下鉛直軸４７と、扉４の右側縁４ａ又は左側縁４ｂを前記上ヒンジ部材４６に軸着する上鉛直軸４８とを具備してなる。下ヒンジ部材４５は、右端近傍部及び左端近傍部にそれぞれ鉛直方向の軸孔４５ａが開口する平滑面４５ｂを有した上半部と、斜下前方に向いて設けられた傾斜面４５ｃを有する下半部とからなるバンパー状のもので、上半部の背面に図示しない上向きの係合爪を突設し、下半部の背面に下向きの弾性突起４５ｅを突設し、下半部の傾斜面４５ｃに背面側に貫通するボルト挿通孔４５ｆを設けている。一方、床頭台本体１の開口端面たる底板１１の前端面には、その右側縁近傍及び左側縁近傍に対をなす取付孔１１ｂ及び係止孔１１ｃがそれぞれ設けてある。そして、前記係合爪４５ｄを取付孔１１ｂの上縁側に係合させた後、下向きの弾性突起を係止孔１１ｃに向けて押圧することによってその下縁に弾性係合させ、その位置でボルト挿通孔４５ｆに前面側から挿通したボルト４５ｇで下半部を底板１１の前端面方向に締め付けることにより、該下ヒンジ部材４５を底板１１の前端面よりも前方へ突出した位置に止着している。その際、ボルト４５ｇを締め込むと、それに応じて下ヒンジ部材４５の下半部が底板１１の前端面に近づき、その反力で上半部が底板１１の前面から前方に浮き上がるため、このような傾動動作を利用して微小なレベル調整が可能である。なお、左右の下ヒンジ部材４５は互いに同一形状のものとされている。上ヒンジ部材４６は、右端近傍部及び左端近傍部にそれぞれ鉛直方向の軸孔４６ａを有した平板部４６ｂと、この平板部４６ｂの後方から垂下する取付片４６ｃとを具備してなるもので、その平板部４６ｂを床頭台本体１の開口端面たる横桟１５の前端面の左右両側縁近傍に設けたスリット１５ａの何れか一方に後方から挿入して先端を前方に延出させた後、横桟１５に設けられたビス挿通孔１５ｂに前面側から挿通したビス４６ｄにより前記取付片４６ｃを横桟１５の背面に引き付けて、該上ヒンジ部材４６を横桟１５の前端面よりも前方へ突出した位置に取り付けている。そして、扉４の下端面４１の左右両側縁近傍に設けた左右一対の軸孔４２ａの一方に上方から下鉛直軸４７を挿通し、その下鉛直軸４７をワッシャー４７ａを介して対応する位置にある下ヒンジ部材４５の外側の軸孔４５ａに装着するとともに、同じ側縁上にある上ヒンジ部材４６の外側の軸孔４６ａに上方から上鉛直軸４８を挿通し、その上鉛直軸４８を上扉受け部材４９を貫通して扉４の上端面４２の側縁近傍に設けられた対応する軸孔４２ａに装着することにより、該扉４の側縁４ａ又は４ｂを鉛直軸回りに軸着し、床頭台本体１の下部空間を開閉可能に蝶着するようにしている。この実施例では、扉４の吊元が右側縁に設定されている。吊元を変更するときは、ビス４６ｄを外し、上ヒンジ部材４６ごと付け替える。また、前記上ヒンジ部材４６は、引出し２を押し込んだときにその引出し２の鏡板２２に設けられている下面及び背面に開放された凹部２２ａによって干渉が防止されると同時に前方及び側方からの目視が遮断される設計になっている。前記上扉受け部材４９には、前面及び上面に開放された取手用凹陥部４９ａが形成されるとともに、この凹陥部４９ａの前縁中央部分に該凹陥部４９ａの横幅寸法よりも短寸な指掛用の突条４９ｂが設けられ、突条４９ｂが設けられていない前縁左右両端部分は凹陥部４９ａの奥部に滑らかに連続している。突条４９ｂには樹脂製のマーカ４９ｃが左右移動可能に装着され、扉４の開成時に指を掛けるべき位置を明示している。なお、前記床頭台本体１の下部空間の奥には空間利用効率を高めるための棚板１７が配設されている。
【００１９】
タオルハンガ６は、図１並びに図１３〜図１５に示すように、線条体を平面視コ字形に折曲げ、更に基端部６１に上方に屈曲する屈曲部分６２を設けてなるもので、天板５の側壁５ａに側方へ引き出し可能に保持される。即ち、天板５の側壁５ａにはタオルハンガ６の基端部６１を挿入するための挿入孔５６が設けられ、また側壁５ａの内方にリブ５２の一部を切欠することにより係止リブ５７が形成されていて、天板５の挿通孔５６に挿通したタオルハンガ６の基端部６１を係止リブ５７に係止させ、屈曲部分６２をその係止リブ５７よりも内方に位置させた状態で、天板５を床頭台本体１に装着することにより、タオルハンガ６の基端部６１を側板１２の上折曲部１２ｂにより下側から当接支持し、かつ係止リブ５７により屈曲部分６２を係止して、タオルハンガ６を抜止不能に保持している。
【００２０】
可動板８は、図１、図１６及び図１７に示すように、上面中央に凹み８１を有し、下面に格子状にリブ８２を突設した樹脂素材からなる偏平筐状のもので、左右の側壁８ａとリブ８２の一部との隙間に前後方向に伸びるフレーム装着部８３を形成している。このフレーム装着部８３の後端は鉛直な支持面へと連なっている。
【００２１】
昇降機構７は、図１〜図５、図１８及び図１９に示すように、可動板８を片持ち的に支持するフレーム７０と、このフレーム７０の鉛直部を摺動可能に保持するフレームガイド７１と、フレーム７０を所要の高さ位置でフレームガイド７１に固定する固定手段７２とを具備してなる。フレーム７０は、水平部７０ｂと鉛直部７０ａの間が緩やかに湾曲したスチールパイプ製のもので、その水平部７０ｂを前記可動板８のフレーム装着部８３に装着して可動板８の裏面から挿通したビス８３ａにより可動板８の下面に止着され、鉛直部７０ａを下方に垂下させて配設された逆Ｌ字状のものである。フレームガイド７１は、前述したレール部材１６の後端に一体成形されてなるもので、天板５のボス孔５５の内周に連続するフレーム挿通孔７１ａを有した筒状のものである。フレーム挿通孔７１ａの上端近傍はボス孔５５の外径に略等しい程度にまで拡径させてあるとともに、開口端に更に拡径したテーパ面７１ｂが設けてあり、ボス孔５５の一部が容易に挿入可能となっている。固定手段７２は、フレーム７０の鉛直部７０ａの後縁に一定間隔で設けたネジ孔７２ａと、ボス孔５５の前記ねじ孔７２ａに連通し得る位置に設けたネジ挿通孔５５ａと、天板５の後壁５ｂの前記ネジ挿通孔５５ａに連続する位置に設けたネジ挿通孔５５ｂと、基端にグリップ７３ａを有するネジ７３とを具備してなるもので、このネジ７３を前記天板５及びフレームガイド７１の各挿通孔７１ａ、５５ａに挿通してフレーム７０のねじ孔７２ａに螺合させ締め付けることによって、フレーム７０を引き寄せ、フレームガイド７１の内周面に密着させて固定するようにしている。フレームガイド７１はレール部材１６に一体に設けられているため、レール部材１６が適正に取り付けられている限り、フレームガイド７１もフレーム７０を安定して支持する。なお、このフレームガイド７１は、取付位置でその後端面７１ｃが背板１３の前面に添設され、側面７１ｄが該側面７１ｄに設けたリブ７１ｅを介して側板１２の内面に添設する。しかして、固定機構１２によりフレーム７０を固定し得る位置は、図８において可動板８がＡ、Ｂ、Ｃそれぞれの位置に来たとき、詳述すればターンテーブル９までの隙間寸法が４４０ｍｍ、３２０ｍｍ、１５０ｍｍとなるように設定され、更にＤの位置にあるときにその隙間が狭小となるように設定される。４４０ｍｍは１４インチのテレビＴＶが配置可能な寸法に、３２０ｍｍは１０ｉｎｃｈのテレビＴＶが配置可能な寸法に、１５０ｍｍは缶ジュースが配置可能な寸法にそれぞれ対応している。また、図２、図３及び図２２に示すようにテレビＴＶを置いた状態で該テレビＴＶの上面と可動板８との間には僅かの隙間が確保されるように設定してあり、前記空間に対するテレビＴＶの出し入れ容易性と、地震発生時におけるテレビＴＶの落下防止とが両立されている。最下位置Ｄは床頭台全体を梱包するときの便宜を考慮してのものである。また、可動板８の耐荷重は、本実施例の場合２０ｋｇ前後が確保され、図２３に示すように可動板８の上にもテレビＴＶ等を十分載置できる強度が付与されている。なお、この床頭台は天板５及び可動板８に図７及び図１７に示すようにテーブル取付部９０を設け、このテーブル取付部９０にターンテーブル９を着脱可能に保持させるようにしている。テーブル取付部９０は、天板５及び可動板８の上面中心部に設けた軸孔状のもので、そのテーブル取付部９０の下面にナット９０ａが固設してある。一方、ターンテーブル９は、図１及び図２０に示すように、下面に少なくとも同心円状に複数の円形リブ９１を有した樹脂成形品とされており、その下端９１ａをテフロン等の滑動性のある素材からなるシート部材９３を介して天板５の上面又は可動板８の上面に添設し、テーブル取付部９０に筒状の取付具９４を挿入した後、その取付具９４に上方から挿入したボルト９５を天板５又は可動板８の下面に固設したナット９０ａに螺装して締め付けることにより、ターンテーブル９を回転可能に取り付けるようにしている。ターンテーブル９はシート部材９３を介して比較的小さな摺動抵抗で天板５上又は可動板８上を回転することができる。
【００２２】
本実施例は、以上説明した構成からなるものであり、以下に記載される作用効果を奏する。
【００２３】
本実施例の床頭台は、床頭台本体１に、芯出しテーブル３と、この芯出しテーブル３の真下に位置する引出し２とを設けたものであって、前記引出し２に、該引出し２を押込み位置で床頭台本体１にロックするための錠機構２３を設けるとともに、前記芯出しテーブル３に、該芯出しテーブル３を所定の引き出し位置で係止するための抜止機構３２を設けておき、前記引出し２を押込み位置から前方に引き出した場合にだけ、前記抜止機構３２の係止機能を解除して芯出しテーブル３を床頭台本体１から抜き取ることができるように構成している。
【００２４】
このため、引出し２をロックすることができるため病院等での貴重品の保管に重宝がられるだけでなく、芯出しテーブル３を抜き取られることによって、引出し２に錠をかけたことが無為に帰すのを防止することができる。しかも、このような安全対策を講じているにも拘らず、ロックを解除して引出し２を引き出しさえすれば、芯出しテーブル３を取り外すことができるため、芯出しテーブル３や引出し２の清掃に不具合が生じることもなくなる。
【００２５】
なお、各部の具体的構成は、上述した実施例のみに限定されるものではなく、本発明の趣旨を逸脱しない範囲で種々変形が可能である。
【００２６】
【発明の効果】
本発明は、以上説明したような形態で実施され、以下に記載されるような効果を奏する。
【００２７】
本発明の床頭台は、床頭台本体に設けられる引出しに錠機構を設けるとともに、その真上に配置される芯出しテーブルに所定の引き出し位置で係止する抜止機構を設け、引出しを押込み位置から前方に引き出した場合にだけ係止機能を解除して芯出しテーブルを床頭台本体から抜き取ることができるようにしているため、引出しの有用なロック機能が芯出しテーブルの存在によって損なわれることを有効に防止することができる。しかも、このようにしても芯出しテーブルを適宜取り外すことができるため、芯出しテーブルや引出しの清掃に不具合が生じることも防止することができる。
【図面の簡単な説明】
【図１】本発明の一実施例を示す斜視図。
【図２】同正面図。
【図３】同右側面図。
【図４】同実施例の床頭台本体を示す分解斜視図。
【図５】図４を更に分解した斜視図。
【図６】同実施例の天板を示す底面図。
【図７】同側断面図。
【図８】同実施例の作用を示す右側面図。
【図９】同実施例の錠機構を示す図。
【図１０】同実施例の扉部分を示す分解斜視図。
【図１１】同部分側断面図。
【図１２】同部分側面。
【図１３】同実施例におけるタオルハンガの取付構造を示す要部拡大斜視図。
【図１４】同部分正断面。
【図１５】図１４に対応して取付手順を示す図。
【図１６】同実施例の可動板を示す正面図。
【図１７】図１６に対応した正断面図。
【図１８】同実施例の昇降機構を示す要部縦断面図。
【図１９】同要部平断面図。
【図２０】同実施例の全体縦断面図。
【図２１】同実施例の要部断面図。
【図２２】同実施例の使用状態を示す斜視図。
【図２３】同実施例の他の使用状態を示す斜視図。
【図２４】同実施例のキャスタのロック解除状態を示す部分断面図。
【図２５】同実施例のキャスタのロック状態を示す部分断面図。
【符号の説明】
１・・・床頭台本体
２・・・引出し
２３・・・錠機構
３２・・・抜止機構
【図１】
0003684424.tif 000002
【図２】
0003684424.tif 000003
【図３】
0003684424.tif 000004
【図４】
0003684424.tif 000005
【図５】
0003684424.tif 000006
【図６】
0003684424.tif 000007
【図７】
0003684424.tif 000008
【図８】
0003684424.tif 000009
【図９】
0003684424.tif 000010
【図１０】
0003684424.tif 000011
【図１１】
0003684424.tif 000012
【図１２】
0003684424.tif 000013
【図１３】
0003684424.tif 000014
【図１４】
0003684424.tif 000015
【図１５】
0003684424.tif 000016
【図１６】
0003684424.tif 000017
【図１７】
0003684424.tif 000018
【図１８】
0003684424.tif 000019
【図１９】
0003684424.tif 000020
【図２０】
0003684424.tif 000021
【図２１】
0003684424.tif 000022
【図２２】
0003684424.tif 000023
【図２３】
0003684424.tif 000024
【図２４】
0003684424.tif 000025
【図２５】
0003684424.tif 000026